(57)【要約】【課題】  複数のタイムスロットを用いてパケット通信を行っているときに音声通信の着信要求が発生した場合にも、音声品質の劣化を防ぐことが可能な携帯無線端末を提供する。【解決手段】  基地局を介してＴＤＭＡ−ＴＤＤ方式で音声通信およびパケット通信を行う通信制御部１５０と、受信スロットと送信スロットの対からなるタイムスロットに通信を割り当てるスロット割当部１２２と、各受信スロットの通信品質を取得する通信品質取得部１６０と、通信品質を複数の受信スロットと対応づけて記憶する記憶部１５２と、備え、スロット割当部は、複数のタイムスロットを用いてパケット通信を行っているときに音声通信の着信要求が発生した場合に、記憶部のデータに基づき、複数のタイムスロットのうち、最も通信品質の良い受信スロットを含むタイムスロットを音声通信に割り当てることを特徴とする。【選択図】図２
2011199848.tif 000002
【特許請求の範囲】
【請求項１】
基地局を介してＴＤＭＡ−ＴＤＤ方式で音声通信およびパケット通信を行う通信制御部と、
受信スロットと送信スロットの対からなるタイムスロットに通信を割り当てるスロット割当部と、
パケット通信に割り当てられている複数のタイムスロットについて各受信スロットの通信品質を取得する通信品質取得部と、
前記通信品質を前記複数の受信スロットと対応づけて記憶する記憶部と、
を備え、
前記スロット割当部は、複数のタイムスロットを用いてパケット通信を行っているときに音声通信の着信要求が発生した場合に、前記記憶部のデータに基づき、前記複数のタイムスロットのうち、最も通信品質の良い受信スロットを含むタイムスロットを音声通信に割り当てることを特徴とする携帯無線通信端末。
【請求項２】
前記通信制御部は２つのタイムスロットを用いて音声通信を行うスロットダイバシティを制御可能であって、
前記スロット割当部は、前記記憶部のデータに基づき、前記複数のタイムスロットのうち、より通信品質が良い受信スロットを含む２つのタイムスロットを音声通信に割り当てることを特徴とする請求項１に記載の携帯無線通信端末。
【請求項３】
前記スロット割当部は、前記音声通信に割り当てられたタイムスロットの通信品質が劣
化したと判断した場合には、前記通信品質取得部にて取得された通信品質に応じて他の受信スロットを音声通信に割り当てることを特徴とする請求項１または２に記載の携帯無線通信端末。
【請求項４】
基地局を介してＴＤＭＡ−ＴＤＤ方式で音声通信およびパケット通信を行う通信制御部と、
受信スロットと送信スロットの対からなるタイムスロットに通信を割り当てるスロット割当部と、
パケット通信に割り当てられている複数のタイムスロットについてそれぞれ異なる変調方式で送受信可能な適応変復調部と、
を備え、
前記スロット割当部は、複数のタイムスロットを用いてパケット通信を行っているときに音声通信の着信要求が発生した場合に、前記複数のタイムスロットのうち、最も転送レートが高い変調方式で通信されている送信スロットを含むタイムスロットを音声通信に割り当てることを特徴とする携帯無線通信端末。
【請求項５】
前記通信制御部は２つのタイムスロットを用いて音声通信を行うスロットダイバシティを制御可能であって、
前記スロット割当部は、前記複数のタイムスロットのうち、より転送レートが高い変調方式で通信されている送信スロットを含む２つのタイムスロットを音声通信に割り当てることを特徴とする請求項３に記載の携帯無線通信端末。
【請求項６】
前記スロット割当部は、音声通信が終了した後に、音声通信に使用していたタイムスロットをパケット通信に割り当てることを特徴とする請求項１または請求項３に記載の携帯無線通信端末。
【請求項７】
当該端末の移動速度を検出する移動速度検出部をさらに備え、
前記通信制御部は、移動速度が所定値を超えた場合には、音声通信を維持し、パケット通信を停止することを特徴とする請求項１または請求項３に記載の携帯無線通信端末。
【発明の詳細な説明】
【技術分野】
【０００１】
本発明は、ＴＤＭＡ−ＴＤＤ方式で音声通信およびパケット通信を行うことが可能な携帯無線通信端末に関する。
【背景技術】
【０００２】
近年、ＰＨＳ(Personal Handy phone System)や携帯電話等に代表される無線通信端末
が普及し、場所や時間を問わず通話や情報入手が可能となった。このような無線通信端末は、所定の場所に設置されている基地局と、無線通信を行うことで通信網との接続を行っている。
【０００３】
ＰＨＳなどを用いた無線通信では、例えばＴＤＭＡ−ＴＤＤ（ＴＤＭＡ：Time Division Multiple Access：時分割多重方式、ＴＤＤ：Time Division Duplex：時分割複信）方式が利用されている。
【０００４】
ＴＤＤ方式は、例えば無線通信端末（ＰＳ:Personal Station）と基地局（ＣＳ:Cell Station）とが、一方から他方へまた他方から一方への通信タイミングを交互かつ短時間に切り換える方式である。ＴＤＤ方式を用いた無線通信においては、基地局が送信するタイミングで通信端末が受信を行い、逆に通信端末が送信するタイミングで基地局が受信を行う。かかる切換制御は、ＲＦ（Radio Frequency）回路を介して実行される。ＲＦ回路は、高周波の電波を送受信できる回路であり、独立して動作可能な送信回路と受信回路とを備えている。
【０００５】
ＴＤＭＡ方式は、時間軸で複数のタイムスロットに細分化し、その細分化したタイムスロットを通じ複数の相手と並行して通信を行う方式である。タイムスロットは、受信スロットと送信スロットの対から構成される。具体的には、送信スロットと受信スロットをそれぞれ４つに時分割し、４つのタイムスロットで通信を行うことができる。４つのタイムスロットは、１番目を制御チャネル、２〜４番目を通信チャネルとして使用されるが、制御信号は間欠的に送られるため、制御信号を送受信していないときは１番目のタイムスロットも通信チャネルとして使用される。
【０００６】
ここでＴＤＭＡは、本来は複数の通信端末と通信をするために考案されたが、１つの通信端末が複数のタイムスロットを使用して通信を行うことにより、パケット通信を高速化したり、音声通信を安定させたりすることが行われている。従って例えば、通信端末は、異なるチャネルを使用して複数の基地局と通信を行うことも可能であり、１つの基地局に対して異なるチャネルを使用して通信を行うことも可能である。
【０００７】
通信端末と基地局との間で通信接続をするためのチャネルを割り当てるときは、まず通信端末から基地局へ接続要求メッセージが送信される。基地局は使用可能なタイムスロットにおけるキャリアセンスを通じて最も妨害波の少ないタイムスロットおよびキャリア（搬送波）を選択し、そのタイムスロットとキャリアの組合せ（チャネル）を割り当てメッセージにのせて送信する。通信端末は割り当てられたチャネルが使用可能かどうかをチャネルのキャリアセンスを通じて確認した後に、接続を開始する。
【０００８】
また、音声通信とパケット通信を同時に行うことも提案および実施されている。特許文献１には、生起した回線交換呼（音声通信の着呼）を空きスロットに順次割り当て、生起したパケット交換呼（パケット通信の発呼）を制御チャネルとして使用しないフレームの制御用スロットの空きスロットに割り当てることが提案されている。特許文献１によれば、回転交換形通信とパケット交換形通信の混在を効率よく行うことができるとしている。
【先行技術文献】
【特許文献】
【０００９】
【特許文献１】特開平９−５５７６８号公報
【発明の概要】
【発明が解決しようとする課題】
【００１０】
ところで近年では、パケット通信においてできるだけ高速で快適な通信を行うために、可能な限り全ての（例えば４つの）タイムスロットを使用して通信を行う。ここで従来からも、全てのタイムスロットを使用してパケット通信を行っている間に音声通信を着信した場合には、タイムスロットの１つでパケット通信を停止し、これに音声通信を割り当てることが行われている。また、全てのタイムスロットを使用していない場合であっても、使用していないタイムスロットが他の通信端末によって占有されている場合には、やはり複数使用しているタイムスロットの１つでパケット通信を停止して、音声通信を割り当てている。
【００１１】
現状において、パケット通信を停止して音声通信に割り当てられるタイムスロットは、基地局から指定される手順（プロトコル）となっている。パケット通信を行っていたタイムスロットであるから通信できることは確かであるが、音声通信はパケット通信よりもリアルタイム性が求められるため、より高い通信品質が必要である。しかし、このとき割り当てられるタイムスロットは必ずしもチャネルの品質が高いとは限らず、場合によっては音声品質が低いため途切れがちとなったり、ハンドオーバーの必要が生じてしまったりする場合がある。
【００１２】
そこで本発明は、複数のタイムスロットを用いてパケット通信を行っているときに音声通信の着信要求が発生した場合にも、音声品質の劣化を防ぐことが可能な携帯無線端末を提供することを目的としている。
【課題を解決するための手段】
【００１３】
上記課題を解決するために、本発明にかかる携帯無線通信端末の代表的な構成は、基地局を介してＴＤＭＡ−ＴＤＤ方式で音声通信およびパケット通信を行う通信制御部と、受信スロットと送信スロットの対からなるタイムスロットに通信を割り当てるスロット割当部と、パケット通信に割り当てられている複数のタイムスロットについて各受信スロットの通信品質を取得する通信品質取得部と、通信品質を複数の受信スロットと対応づけて記憶する記憶部と、備え、スロット割当部は、複数のタイムスロットを用いてパケット通信を行っているときに音声通信の着信要求が発生した場合に、記憶部のデータに基づき、複数のタイムスロットのうち、最も通信品質の良い受信スロットを含むタイムスロットを音声通信に割り当てることを特徴とする。
【００１４】
上記構成によれば、複数のタイムスロットを用いてパケット通信を行っているときであっても、音声品質を劣化させることなく音声通信を開始することができる。特に記憶部に通信品質を記憶させておくことにより、瞬時値ではなくある程度の時間幅における通信品質を評価することができるため、適切に通信品質の高いタイムスロットを音声通信に割り当てることができる。また、制御プログラムを修正するのみでよく、ハードウェアに変更を伴わないため、比較的安価に実現可能であると共に、既存の通信端末においても本発明を実施可能であるという利点を有している。
【００１５】
上記通信制御部は２つのタイムスロットを用いて音声通信を行うスロットダイバシティを制御可能であって、スロット割当部は、記憶部のデータに基づき、複数のタイムスロットのうち、より通信品質が良い受信スロットを含む２つのタイムスロットを音声通信に割り当ててもよい。これにより、スロットダイバシティを行う場合にも同様に、音声通信の品質を高めることができる。
【００１６】
上記スロット割当部は、音声通信に割り当てられたタイムスロットの通信品質が劣化し
たと判断した場合には、前記通信品質取得部にて取得された通信品質に応じて他の受信スロットを音声通信に割り当ててもよい。
【００１７】
これにより、音声通信へ移行した後も音声通信に選択されなかったパケット通信路の接続を継続し、通信品質を取得しておくことで、選択した通信路の劣化が発生した場合にも新たにサーチ等をしなくても通信路の移行が可能となる。
【００１８】
また、本発明にかかる携帯無線通信端末の他の代表的な構成は、基地局を介してＴＤＭＡ−ＴＤＤ方式で音声通信およびパケット通信を行う通信制御部と、受信スロットと送信スロットの対からなるタイムスロットに通信を割り当てるスロット割当部と、パケット通信に割り当てられている複数のタイムスロットについてそれぞれ異なる変調方式で送受信可能な適応変復調部と、を備え、スロット割当部は、複数のタイムスロットを用いてパケット通信を行っているときに音声通信の着信要求が発生した場合に、複数のタイムスロットのうち、最も転送レートが高い変調方式で通信されている送信スロットを含むタイムスロットを音声通信に割り当てることを特徴とする。
【００１９】
上記構成によっても、複数のタイムスロットを用いてパケット通信を行っているときであっても、音声品質を劣化させることなく音声通信を開始することができる。特にパケット通信では通信品質がよいほど転送レートの高い変調方式に動的に切替えるものであるから、変調方式によって通信品質を評価することができる。したがって、適切に通信品質の高いタイムスロットを音声通信に割り当てることができる。
【００２０】
上記の通信制御部は２つのタイムスロットを用いて音声通信を行うスロットダイバシティを制御可能であって、スロット割当部は、複数のタイムスロットのうち、より転送レートが高い変調方式で通信されている送信スロットを含む２つのタイムスロットを音声通信に割り当ててもよい。
【００２１】
上記のスロット割当部は、音声通信が終了した後に、音声通信に使用していたタイムスロットをパケット通信に割り当ててもよい。これにより、スロットダイバシティを行う場合にも同様に、音声通信の品質を高めることができる。
【００２２】
当該端末の移動速度を検出する移動速度検出部をさらに備え、通信制御部は、移動速度が所定値を超えた場合には、音声通信を維持し、パケット通信を停止してもよい。通信端末が高速に移動しているときはハンドオーバーが多くなり、アンテナダイバシティやスロットダイバシティによって接続を維持しようとする。このようなときに全てのタイムスロットから通信しようとすると、通過する基地局の周辺において他の通信端末の接続を制限してしまうおそれがある。そこで上記のように音声通信のみを維持するように制御することにより、音声通信が安定し、かつ他の通信端末に与える影響を軽減することができる。
【発明の効果】
【００２３】
本発明によれば、複数のタイムスロットを用いてパケット通信を行っているときであっても、音声品質を劣化させることなく音声通信を開始することができる。また、制御プログラムを修正するのみでよく、ハードウェアに変更を伴わないため、比較的安価に実現可能であると共に、既存の通信端末においても本発明を実施可能である。
【図面の簡単な説明】
【００２４】
【図１】第１実施形態にかかる携帯無線通信端末の概略構成を説明する図である。
【図２】第１実施形態の動作例を説明するフローチャートである。
【図３】タイムスロットについて説明する図である。
【図４】第２実施形態の他の動作例を説明するフローチャートである。
【図５】第３実施形態にかかる携帯無線通信端末の概略構成を説明する図である。
【発明を実施するための形態】
【００２５】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２６】
［第１実施形態］
図１は、携帯無線通信端末（以下、「通信端末１００」という。）の概略構成を説明する図である。本実施形態では、ＴＤＭＡ−ＴＤＤ方式で音声通信およびパケット通信を行う通信端末１００として、ＰＨＳを例に用いて説明する。ただし本発明はＰＨＳに限らず、携帯電話、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラなど、ＴＤＭＡ−ＴＤＤ方式で通信を行う装置であれば、本発明を適用することができる。
【００２７】
音声変換部１１０は、マイク１１２から入力された音声信号（アナログ信号）を、例えばＡＤＰＣＭ（Adaptive Differential Pulse Code Modulation：適応的差分PCM）にて符号化してデジタル信号に変換する。また、デジタル信号を音声信号に変換して、スピーカ１１４から出力する。
【００２８】
チャネルコーデック部１２０は、スロット割当部１２２と、コーデック部１２４を備えている。スロット割当部１２２は、受信スロットと送信スロットの対からなるタイムスロットに通信を割り当てる。コーデック部１２４は、各タイムスロットに対して音声データと制御信号をフレーミング（分割して割り当てること）したり、デフレーミング（結合してデジタル信号を復元すること）したりする。待受状態（通信を行っていない状態）からタイムスロットを割り当てるための基地局との手順については、上述した従来技術と同様である。
【００２９】
適応変復調部１３０は、コーデック部１２４がフレーミングしたデジタル信号を変調してベースバンド信号を生成したり、またはベースバンド信号からデジタル信号を復調したりする。データ信号の変調方式としては、ＢＰＳＫ（Binary Phase Shift Keying）、Ｑ
ＰＳＫ（quadrature phase shift keying）、１６ＱＡＭ(Quadrature Amplitude Modulation)や６４ＱＡＭなどがある。またさらに、ＦＥＣ（Forward Error Correction）のような誤り訂正技術などもあわせて用いられる。
【００３０】
ＲＦ回路１４０は、ベースバンド信号（変調データ）を所定の周波数にアップコンバージョンして、アンテナ１４２から無線信号を送信する。また、アンテナ１４２で受信した無線信号を、ベースバンド信号にダウンコンバージョンする。
【００３１】
通信制御部１５０は、チャネルコーデック部１２０、適応変復調部１３０、その他の各部を制御し、不図示の基地局と通信を行う。通信制御部１５０は、具体的には、ＣＰＵ上で動作するプログラムによって実現される。
【００３２】
記憶部１５２はＲＯＭ、ＲＡＭ、ＥＥＰＲＯＭ、不揮発性ＲＡＭ、フラッシュメモリ、ＨＤＤ等で構成され、通信制御部１５０で処理されるプログラムや通信データ等を記憶する。また後述するように、記憶部１５２は、パケット通信を行っている受信スロットの通信品質を複数の受信スロットと対応づけて記憶する。
【００３３】
表示部１５４は、液晶ディスプレイ、ＥＬ(Electro Luminescence)等で構成され、アプリケーションの動作画面や、通信相手の電話番号、アドレス帳などを表示することができる。操作部１５６は、キーボード、十字キー、ジョイスティック等の可動スイッチで構成され、ユーザの操作入力を受け付ける。
【００３４】
通信品質取得部１６０は、音声通信またはパケット通信の通信品質を検知する。通信品質としては、ＲＳＳＩ（Received Signal Strength Indicator）、ＦＥＲ（Frame Error Rate）、またはＢＥＲ（Bit Error Rate）を用いることができる。ＲＳＳＩは受信電波強度であって、ＲＦ回路１４０において受信したアナログ信号の強度である。ＦＥＲはチャネルコーデック部１２０でデフレーミングしたデジタル信号のフレーム単位のエラーレート、ＢＥＲはデジタル信号のビット単位のエラーレートである。
【００３５】
なお、通信中においてＲＳＳＩは、基地局が間欠的に発信するバースト信号から取得（測定）することができる。内容のあるデータは適宜強弱が生じるところ、バースト信号はある決まった強さで吹かれるため、基準とすることができる。
【００３６】
上記構成の通信端末１００において、パケット通信を行った場合について説明する。図２は本実施形態の動作例を説明するフローチャートである。ステップ５０２においてパケット通信が開始されると、ステップ５０４において通信制御部１５０はチャネルコーデック部１２０を制御して、基地局にタイムスロットとキャリアの割当要求を行う。
【００３７】
図３はタイムスロットについて説明する図である。図３に示す例では１つのフレームは５ｍｓｅｃであり、これを半分ずつ送信（ＲＸ）と受信（ＴＸ）に分け（ＴＤＤ）、それぞれを４スロットずつに分ける（ＴＤＭＡ）。１つの送信スロットまたは受信スロットは６２５μｓｅｃになる。そして送信スロットと受信スロットを対にしてタイムスロット１〜４を構成し、送受信を行う。
【００３８】
ステップ５０６において、パケット通信が開始されると、より高速な通信を行うために、通信制御部１５０はチャネルコーデック部１２０を制御して、複数のタイムスロット（例えば、４つ全て）を用いて通信を行う。なおこのとき、通信相手となる基地局は１つでもよく、複数でもよい。極端な場合、４つのタイムスロットを全て異なる基地局と接続してもよい。
【００３９】
そして、やはりより高速な通信を行うために、通信制御部１５０は適応変復調部１３０を制御して変調方式の切り替えを随時行う。詳細には、通信制御部１５０は通信品質取得部１６０が検知した通信品質（ＲＳＳＩやＦＥＲなど）を監視して、通信品質が高い場合にはより高い転送レートの変調方式に切り替え、通信品質が低い場合にはより遅い転送レートの変調方式に切り替える。
【００４０】
ここで本実施形態においては、ステップ５０８に示すように、パケット通信に割り当てられている複数のタイムスロットについて、通信品質取得部１６０が検知した通信品質を、それぞれの受信スロットと対応づけて記憶部１５２に記憶する。記憶する通信品質は、例えば数秒間分程度蓄積すれば充分であり、ループメモリのように順次上書きしていくことができる。
【００４１】
そしてステップ５１０において音声通信を着信しない場合には、ステップ５１２においてパケット通信が終了するまで、ステップ５０８の通信品質の記憶を継続する。ステップ５１２でパケット通信が終了すると、ステップ５１４で全タイムスロットを開放して終了する。
【００４２】
ステップ５１０において音声通信を着信した場合には、ステップ５１６においてスロット割当部１２２は基地局に音声通信のためのタイムスロットの割当要求をする。この要求には、現在パケット通信に使用しているタイムスロットであって、かつ記憶部１５２に記憶された通信品質のデータに基づき、複数のタイムスロットのうち、最も通信品質の良い受信スロットを含むタイムスロットを指定する。これにより、スロット割当部１２２は、最も通信品質の良い受信スロットを含むタイムスロットを音声通信に割り当てることができる。なおステップ５１０は、詳細には、そのタイムスロットの開放要求と割当要求の連続的な処理であってもよい。
【００４３】
記憶部１５２に記憶された通信品質のデータは、上記したようにＲＳＳＩやＦＥＲ、ＢＥＲなどであって、それぞれの受信スロットと対応づけて（受信スロットごとに）記憶されている。スロット割当部１２２がタイムスロットの通信品質を評価するとき、直近の最後のデータのみを用いるのではなく、ある程度の時間幅（１秒間〜数秒間）のデータを用いることが好ましい。具体的には、平均したり、積算したり、偏差をとったりして、それぞれの評価値を算出することができる。これは、マルチパスによる遅延信号が重畳してフェージングを生じると、ＲＳＳＩやＦＥＲに無視できない変動が生じるためである。なお通信端末１００は移動体であるから、フェージングの要因は随時変化し、予測が困難である。しかし上記のように時間幅をとることにより、適切に評価を行うことが可能となる。
【００４４】
ステップ５１８で音声通信を開始し、いずれステップ５２０で利用者が通話終了の操作を行うと、音声通信も終了する。音声通信の停止は、これに使用していたタイムスロットの開放を伴う。そこでステップ５２２において、スロット割当部１２２は、音声通信に使用していたタイムスロットをパケット通信に割り当てるように基地局に要求を送信する。これにより、可能な限り高速にパケット通信を行うことができる。なお、タイムスロットの開放要求と割当要求は、一組の（または１つの）コマンドとしてもよい。これにより、可能な限り高速にパケット通信を行うことができる。
【００４５】
そしてステップ５１２に進み、パケット通信が終了するまで、ステップ５０８の通信品質の記憶を継続する。ステップ５１２でパケット通信が終了すると、ステップ５１４で全タイムスロットを開放して終了する。
【００４６】
上記構成によれば、複数のタイムスロットを用いてパケット通信を行っているときであっても、音声品質を劣化させることなく音声通信を開始することができる。特に記憶部に通信品質を記憶させておくことにより、瞬時値ではなくある程度の時間幅における通信品質を評価することができるため、適切に通信品質の高いタイムスロットを音声通信に割り当てることができる。また、制御プログラムを修正するのみでよく、ハードウェアに変更を伴わないため、比較的安価に実現可能であると共に、既存の通信端末においても本発明を実施可能である。
【００４７】
なお、ステップ５１６では、スロット割当部１２２は単一のタイムスロットを音声通信に割り当てるように説明した。しかし、通信制御部１５０が２つのタイムスロットを用いて音声通信を行うスロットダイバシティを制御可能である場合には、スロット割当部１２２は、記憶部１５２のデータに基づき、複数のタイムスロットのうち、より通信品質が良い受信スロットを含む２つのタイムスロットを音声通信に割り当ててもよい。これにより、スロットダイバシティを行う場合にも同様に、音声通信の品質を高めることができる。
【００４８】
［第２実施形態］
本発明にかかる携帯無線通信端末の第２実施形態について説明する。図４は本実施形態の他の動作例を説明するフローチャートである。上記第１実施形態と説明が重複する部分については、同一の符号を付して説明を省略する。
【００４９】
図４に示すフローチャートでは、各受信スロットの通信品質は記憶する必要がない（図２のステップ５０８に相当）。なお通常の（従来通りの）動作として、ハンドオーバーの必要性の検知のため、または変調方式の切り替えのために、通信品質取得部１６０は随時通信品質を検知する。
【００５０】
ステップ５１０において音声通信を着信した場合には、ステップ６００においてスロット割当部１２２は基地局に音声通信のためのタイムスロットの割当要求をする。この要求には、現在パケット通信に使用しているタイムスロットであって、かつ適応変復調部１３０が設定した変調方式のうち最も転送レートが高い変調方式で通信されている送信スロットを含むタイムスロットを指定する。パケット通信では通信品質がよいほど転送レートの高い変調方式に動的に切替えるものであるから、変調方式によって間接的に通信品質を評価することができる。これにより、スロット割当部１２２は、最も通信品質の良い受信スロットを含むタイムスロットを音声通信に割り当てることができる。なおステップ６００は、詳細には、そのタイムスロットの開放要求と割当要求の連続的な処理であってもよい。
【００５１】
なお、ステップ６００では、スロット割当部１２２は単一のタイムスロットを音声通信に割り当てるように説明した。しかし、通信制御部１５０が２つのタイムスロットを用いて音声通信を行うスロットダイバシティを制御可能である場合には、スロット割当部１２２は、複数のタイムスロットのうち、より転送レートが高い変調方式で通信されている送信スロットを含む２つのタイムスロットを音声通信に割り当ててもよい。これにより、スロットダイバシティを行う場合にも同様に、音声通信の品質を高めることができる。
【００５２】
［第３実施形態］
本発明にかかる携帯無線通信端末の第３実施形態について説明する。図５は第３実施形態にかかる携帯無線通信端末の概略構成を説明する図である。上記第１実施形態と説明が重複する部分については、同一の符号を付して説明を省略する。
【００５３】
図５に示すように、本実施形態にかかる通信端末１００は、移動速度検出部１７０を備えている。移動速度検出部１７０は、通信端末１００の移動速度を検出する。具体的には、ハンドオーバーの頻度で検出してもよいし、さらにハンドオーバーした際の基地局のシリアルＮｏから地理的な情報をあわせて参照して移動速度を検出してもよい。また、不図示のＧＰＳを搭載して、随時現在地を更新しながら、移動速度を検出してもよい。
【００５４】
上記第１および第２実施形態のようにして、パケット通信中であっても、通信品質の高いタイムスロット（チャネル）を用いて音声通信を同時に行うことができる。ところで、通信端末１００の移動速度が速い場合には、両方の通信を維持することが難しい場合がある。詳しくは、通信端末１００が高速に移動しているときはハンドオーバーが多くなり、アンテナダイバシティやスロットダイバシティによって接続を維持しようとする。このようなときに全てのタイムスロットから通信しようとすると、通過する基地局の周辺において他の通信端末の接続を制限してしまうおそれがある。
【００５５】
そこで通信制御部１５０は、移動速度が所定値を超えた場合には、音声通信を維持し、パケット通信を停止してもよい。これにより、音声通信が安定し、かつ他の通信端末に与える影響を軽減することができる。
【００５６】
スロット割当部１２２は、音声通信に割り当てられたタイムスロットの通信品質が劣化
したと判断した場合には、前記通信品質取得部１６０にて取得された通信品質に応じて他の受信スロットを音声通信に割り当ててもよい。
【００５７】
これにより、音声通信へ移行した後も音声通信に選択されなかったパケット通信路の接続を継続し、通信品質を取得しておくことで、選択した通信路の劣化が発生した場合にも新たにサーチ等をしなくても通信路の移行が可能となる。
【００５８】
上記構成によれば、音声通信へ移行した後も音声通信に選択されなかったパケット通信路の接続を継続し、通信品質を取得しておくことで、選択した通信路の劣化が発生した場合にも新たにサーチ等をしなくても通信路の移行が可能となる。
【００５９】
通信端末１００がスロットダイバシティによって接続を維持しようときに全てのタイムスロットから通信しようとすると、通過する基地局の周辺において他の通信端末の接続を制限してしまうおそれがある。
【００６０】
上述のように、音声通信へ移行した後も音声通信に選択されなかったパケット通信路の接続を継続し、通信品質を取得しておくことで、選択した通信路の劣化が発生した場合にも新たにサーチ等をしなくても通信路の移行が円滑に行なえるとともに、他の通信端末の接続の制限を抑制することが可能となる。
【００６１】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６２】
なお、本明細書の無線通信方法における各工程は、必ずしもフローチャートとして記載された順序に沿って時系列に処理する必要はなく、部分的に並列的あるいはサブルーチンによる処理を含んでもよい。
【産業上の利用可能性】
【００６３】
本発明は、本発明は、ＴＤＭＡ−ＴＤＤ方式で音声通信およびパケット通信を行うことが可能な携帯無線通信端末として利用することができる。
【符号の説明】
【００６４】
１００…通信端末、１１０…音声変換部、１１２…マイク、１１４…スピーカ、１２０…チャネルコーデック部、１２２…スロット割当部、１２４…コーデック部、１３０…適応変復調部、１４０…ＲＦ回路、１４２…アンテナ、１５０…通信制御部、１５２…記憶部、１５４…表示部、１５６…操作部、１６０…通信品質取得部、１７０…移動速度検出部
【図１】
2011199848.tif 000003
【図２】
2011199848.tif 000004
【図３】
2011199848.tif 000005
【図４】
2011199848.tif 000006
【図５】
2011199848.tif 000007